(57)【要約】【課題】ロール製品の長さに応じ高さを変更可能なロール製品用ラックを提供する。【解決手段】側枠４０は、パレット１０に回動可能に設置された側枠基部４１と、側枠基部４１に対して上下方向にスライド移動可能な側枠可動部５１と、側枠可動部５１のスライド移動を規制し側枠４０の高さを所望の高さに維持する高さ調整部材６１を有する。高さ調整部材６１を、側枠基部４１の筒状支柱４２に形成されたスリット４３０に挿入し、高さ調整部材６１により側枠可動部５１の差込支柱５２の側枠基部４１の筒状支柱４２内のスライド移動を制限するとともに、筒状支柱４２内で差込支柱５２の下端を支持することにより、側枠４０は所定の高さに維持される。側枠基部４１の筒状支柱４２に複数のスリット４３０を形成しておき、高さ調整部材６１を差し込むスリット４３０を変えることにより、側枠４０の高さを変更、調整できる。【選択図】    図３
2018002199.tif 000002
【特許請求の範囲】
【請求項１】
パレットと、
物品を収容するときは前記パレット上に対向して立設され、物品を収容しないときは前記パレット上に倒置可能な一対の側枠と
を有する折り畳み式ラックであって、
前記側枠の各々は、
前記パレットに回動可能に設置される側枠基部と、
前記側枠基部に対して移動可能に設置される側枠可動部であって、当該側枠基部が前記パレット上に立設されたときに当該折り畳み式ラックの高さ方向となる方向に移動可能な側枠可動部と、
前記側枠可動部の前記側枠基部に対する前記移動を規制し、前記側板の高さを所望の高さに維持する高さ調整部材と
を有することを特徴とする折り畳み式ラック。
【請求項２】
前記側枠基部は、筒状支柱を有し、
前記側枠可動部は、前記側枠基部の前記筒状支柱に挿入されて前記筒状支柱内を長手方向にスライド移動可能な差込支柱を有し、
前記高さ調整部材は、前記側枠可動部の前記差込支柱の前記スライド移動を規制する
ことを特徴とする請求項１に記載の折り畳み式ラック。
【請求項３】
前記側枠基部の前記筒状支柱は、側面に、前記筒状支柱の長手方向に沿った複数の開口を有し、
前記高さ調整部材は、前記開口を介して前記筒状支柱内に挿入され、前記筒状支柱内において前記側枠可動部の前記差込支柱に干渉し当該差込支柱の前記スライド移動を規制する差込支柱係止部を有する
ことを特徴とする請求項２に記載の折り畳み式ラック。
【請求項４】
前記側枠基部の前記筒状支柱は、断面矩形の筒状の支柱であり、一の側面および当該一の側面に対向する他の側面に、当該一の側面および当該他の側面の対向する位置に形成された対をなす開口が、当該一の側面および当該他の側面の前記長手方向に沿って複数形成されており、
前記高さ調整部材の前記差込支柱係止部は、前記高さ調整部材が前記筒状支柱に装着されることにより、前記一の側面および前記他の側面に形成された前記対をなす開口、および、前記筒状支柱の内部を通過し、前記筒状支柱の内部において前記側枠可動部の前記差込支柱に干渉する
ことを特徴とする請求項３に記載の折り畳み式ラック。
【請求項５】
前記側枠基部の前記筒状支柱は、
一方の方向における、前記一の側面および前記一の側面に対向する前記他の側面に形成された前記複数の対をなす開口である第１の開口群と、
前記一方の方向と直角な他方の方向における、前記一の側面および前記一の側面に対向する前記他の側面に形成された前記複数の対をなす開口である第２の開口群とを有し、
前記第１の開口群の前記複数の対をなす開口と、前記第２の開口群の前記複数の対をなす開口とは、前記筒状支柱の長手方向において異なる位置に形成されている
ことを特徴とする請求項４に記載の折り畳み式ラック。
【請求項６】
前記高さ調整部材の前記差込支柱係止部は、前記側枠可動部の前記差込支柱の下端に当接し、前記差込支柱の前記筒状支柱内の前記スライド移動であって、前記側枠基部が前記パレット上に立設されたときに前記パレットの方向となる下方向への当該差込支柱の前記スライド移動を規制することを特徴とする請求項３〜５のいずれかに記載の折り畳み式ラック。
【請求項７】
前記側枠可動部の前記差込支柱の下端には、高さ調整部材抜け防止ピンが設置されており、
前記高さ調整部材の前記差込支柱係止部には、高さ調整部材抜け防止ピンが挿入されるピン挿入孔が形成されている
ことを特徴とする請求項３〜６のいずれかに記載の折り畳み式ラック。
【請求項８】
前記一対の側枠が前記パレット上に対向して立設された状態において、前記一対の側枠の上部を連結する連結棒をさらに有することを特徴とする請求項１〜７のいずれかに記載の折り畳み式ラック。
【請求項９】
１または複数のロール製品を、当該ロール製品の軸方向が当該折り畳み式ラックの高さ方向となる方向で前記パレット上に載置し収容することを特徴とする請求項１〜８のいずれかに記載の折り畳み式ラック。
【請求項１０】
前記パレット上に設置され、前記パレット上に載置される前記ロール製品の支管の下部開口に嵌挿し、当該ロール製品の位置を固定する１または複数の製品固定部をさらに有することを特徴とする請求項９に記載の折り畳み式ラック。
【請求項１１】
前記パレット上に載置し収容された前記ロール製品の上部に載置され、前記ロール製品の支管の上部開口に嵌挿される１または複数の製品固定部を有する天板をさらに有することを特徴とする請求項９または１０に記載の折り畳み式ラック。
【発明の詳細な説明】
【技術分野】
【０００１】
本発明は、折り畳み式ラックに関し、任意の長さのロール製品を収容し保管や輸送等を行うことができる折り畳み式ラックに関する。
【背景技術】
【０００２】
ロール製品を保管あるいは輸送等するための折り畳み式ラックあるいは組み立て式コンテナとして、異なる長さ（軸方向長さ）のロール製品に対応可能なラックあるいはコンテナが提案されている。例えば、特許文献１および特許文献２には、ロール製品の支管を受ける支管受けの位置をずらすことで長さの異なるロール製品に対応するように構成されたロール製品用の組み立て式コンテナが開示されている。また、引用文献３には、伸縮型のプロテクタで長さを合わせ、同一の箱において長さの異なるロール製品を収容できるようにしたロール状物保持装置が開示されている。
【０００３】
しかし、特許文献１〜３に開示のものを含む従来の折り畳み式ラックあるいは組み立て式コンテナにおいては、長さの異なるロール製品を収容することはできるが、ロール製品の長さに応じてラックやコンテナのサイズを変化させることはできない。例えば、折り畳み式ラックにおいて、収容するロール製品の長さが短いロール製品であるからといって、折り畳み式ラックの長さ、幅あるいは高さを小さくすることはできない。したがって、そのような長さの短いロール製品を収容し輸送等する場合には、空間的に効率よい輸送とは言えず、改善が要望されている。
【先行技術文献】
【特許文献】
【０００４】
【特許文献１】実用新案登録第３１８７２４５号公報
【特許文献２】特開２０１０−１７３７１５号公報
【特許文献３】特許第４０６８８８５３号公報
【発明の概要】
【発明が解決しようとする課題】
【０００５】
したがって本発明の目的は、サイズの異なる物品を収容し輸送等を行うことのできる折り畳み式ラックであって、収容物が小さいときはラック全体のサイズも小さくすることができ、ラック内に無駄な空間を形成することなく効率よく物品を収容し輸送等を行うことのできる折り畳み式ラックを提供することにある。また、ロール製品用の折り畳み式ラックにおいて、収容するロール製品の軸方向長さに応じて折り畳み式ラックの容積を変化させることができ、ラック内に無駄な空間を形成することなく効率よくロール製品を収容し保管や輸送等を行うことのできるロール製品用の折り畳み式ラックを提供することにある。
【課題を解決するための手段】
【０００６】
前記課題を解決するために、本発明の折り畳み式ラックは、パレットと、物品を収容するときは前記パレット上に対向して立設され、物品を収容しないときは前記パレット上に倒置可能な一対の側枠とを有する折り畳み式ラックであって、
前記側枠の各々は、
前記パレットに回動可能に設置される側枠基部と、
前記側枠基部に対して移動可能に設置される側枠可動部であって、当該側枠基部が前記パレット上に立設されたときに当該折り畳み式ラックの高さ方向となる方向に移動可能な側枠可動部と、
前記側枠可動部の前記側枠基部に対する前記移動を規制し、前記側板の高さを所望の高さに維持する高さ調整部材とを有することを特徴とする。
【０００７】
好適には、本発明の折り畳み式ラックにおいて、前記側枠基部は、筒状支柱を有し、前記側枠可動部は、前記側枠基部の前記筒状支柱に挿入されて前記筒状支柱内を長手方向にスライド移動可能な差込支柱を有し、前記高さ調整部材は、前記側枠可動部の前記差込支柱の前記スライド移動を規制することを特徴とする。
【０００８】
また好適には、本発明の折り畳み式ラックにおいて、前記側枠基部の前記筒状支柱は、側面に、前記筒状支柱の長手方向に沿った複数の開口を有し、前記高さ調整部材は、前記開口を介して前記筒状支柱内に挿入され、前記筒状支柱内において前記側枠可動部の前記差込支柱に干渉し当該差込支柱の前記スライド移動を規制する差込支柱係止部を有することを特徴とする。
【０００９】
また好適には、本発明の折り畳み式ラックにおいて、
前記側枠基部の前記筒状支柱は、断面矩形の筒状の支柱であり、一の側面および当該一の側面に対向する他の側面に、当該一の側面および当該他の側面の対向する位置に形成された対をなす開口が、当該一の側面および当該他の側面の前記長手方向に沿って複数形成されており、
前記高さ調整部材の前記差込支柱係止部は、前記高さ調整部材が前記筒状支柱に装着されることにより、前記一の側面および前記他の側面に形成された前記対をなす開口、および、前記筒状支柱の内部を通過し、前記筒状支柱の内部において前記側枠可動部の前記差込支柱に干渉することを特徴とする。
【００１０】
また好適には、本発明の折り畳み式ラックにおいて前記側枠基部の前記筒状支柱は、
一方の方向における、前記一の側面および前記一の側面に対向する前記他の側面に形成された前記複数の対をなす開口である第１の開口群と、
一方の方向と直角な他方の方向における、前記一の側面および前記一の側面に対向する前記他の側面に形成された前記複数の対をなす開口である第２の開口群とを有し、
前記第１の開口群の前記複数の対をなす開口と、前記第２の開口群の前記複数の対をなす開口とは、前記筒状支柱の長手方向において異なる位置に形成されていることを特徴とする。
【００１１】
また好適には、本発明の折り畳み式ラックにおいて、前記高さ調整部材の前記差込支柱係止部は、前記側枠可動部の前記差込支柱の下端に当接し、前記差込支柱の前記筒状支柱内の前記スライド移動であって、前記側枠基部が前記パレット上に立設されたときに前記パレットの方向となる下方向への当該差込支柱の前記スライド移動を規制することを特徴とする。
【００１２】
また好適には、本発明の折り畳み式ラックにおいて、前記側枠可動部の前記差込支柱の下端には、高さ調整部材抜け防止ピンが設置されており、前記高さ調整部材の前記差込支柱係止部には、高さ調整部材抜け防止ピンが挿入されるピン挿入孔が形成されていることを特徴とする。
【００１３】
また好適には、本発明の折り畳み式ラックは、前記一対の側枠が前記パレット上に対向して立設された状態において、前記一対の側枠の上部を連結する連結棒をさらに有することを特徴とする。
【００１４】
また好適には、本発明の折り畳み式ラックは、１または複数のロール製品を、当該ロール製品の軸方向が当該折り畳み式ラックの高さ方向となる方向で前記パレット上に載置し収容することを特徴とする。
【００１５】
また好適には、本発明の折り畳み式ラックは、前記パレット上に設置され、前記パレット上に載置される前記ロール製品の支管の下部開口に嵌挿し、当該ロール製品の位置を固定する１または複数の製品固定部をさらに有することを特徴とする。
【００１６】
また好適には、本発明の折り畳み式ラックは、前記パレット上に載置し収容された前記ロール製品の上部に載置され、前記ロール製品の支管の上部開口に嵌挿される１または複数の製品固定部を有する天板をさらに有することを特徴とする。
【発明の効果】
【００１７】
本発明によれば、収容物が小さいときはラック全体のサイズも小さくすることができ、ラック内に無駄な空間を形成することなく効率よく物品を収容し輸送等を行うことのできる折り畳み式ラックを提供することができる。また、収容するロール製品の軸方向長さに応じて折り畳み式ラックの容積を変化させることができ、ラック内に無駄な空間を形成することなく効率よくロール製品を収容し保管や輸送等を行うことのできるロール製品用の折り畳み式ラックを提供することができる。
【図面の簡単な説明】
【００１８】
【図１】図１は、本発明の一実施形態のロール製品用ラックの全体の構成を説明するための分解斜視図である。
【図２】図２は、図１に示したロール製品用ラックの下金枠のコーナー金具付近の構造を説明するための模式的な斜視図である。
【図３】図３は、図１に示したロール製品用ラックの側枠の構成を説明するための模式的な斜視図である。
【図４】図４は、図３に示した側枠の側枠基部の構造を示す斜視図である。
【図５】図５は、図３に示した側枠の側枠可動部の構造を示す斜視図である。
【図６】図６は、図３に示した側枠の高さ調整部材の構成を示す図であり、図６（Ａ）は斜視図であり、図６（Ｂ）は高さ調整部材により側枠可動部が側枠基部に支持されている状態を示す部分断面図である。
【図７】図７は、図１に示したロール製品用ラックにロール製品が収容された状態を示す図であり、図７（Ａ）は軸方向長さの長いロール製品を収容した状態を示す図であり、図７（Ｂ）は軸方向長さの短いロール製品を収容した状態を示す図である。
【図８】図８は、図１に示したロール製品用ラックを折り畳んだ状態を示す側面図である。
【発明を実施するための形態】
【００１９】
本発明の折り畳み式ラックの一実施形態について、図１〜図８を参照して説明する。
本実施形態においては、ロール製品を収容し輸送あるいは保管等を行うためのロール製品用ラックを例示し本発明を説明する。
【００２０】
本実施形態のロール製品用ラックは、ロール製品を収容する際には、図７（Ａ）および図７（Ｂ）に示すように組み立てられた状態とされ、ロール製品を収容せずラックのみを回送等する際には、図８に示すように折り畳まれた状態とされる折り畳み式のラック１である。
【００２１】
また、図７（Ａ）および図７（Ｂ）に示すように、本実施形態のロール製品用ラック１は、ロール製品９０をパレット１０上に縦置きに収容するラックである。すなわち、ロール製品を、支管の軸方向がロール製品用ラックの高さ方向となるようにパレット上に載置し収容するラックである。そして、特に本実施形態のロール製品用ラック１は、図７（Ａ）および図７（Ｂ）に比較可能に示すように、収容するロール製品の長さに応じて、組み立てられた状態におけるラックの高さを調整することができるものである。
【００２２】
図１に示すように、ロール製品用ラック１は、パレット１０、下金枠２０、製品固定部設置板２４、底板３０、一対の側枠４０、２本の連結棒７０および天板８０を有する。また、一対の側枠４０の各々は、側枠基部４１、側枠可動部５１および高さ調整部材６１を有する。以下、ロール製品用ラック１の各部の構成について説明する。
【００２３】
パレット１０は、ロール製品用ラック１の基台である。パレット１０は、長方形の平面形状を有し、少なくとも長手方向の側面にフォークリフトの爪部（フォーク）が差し込まれるリフト用開口１０１が形成されている。本実施形態において、パレット１０は、樹脂成型により製造された樹脂パレットである。
【００２４】
下金枠２０は、パレット１０の上面の周縁に沿って設置される金属製部材である。下金枠２０は、パレット１０の四隅に設置されるコーナー金具２１、パレット１０の短手方向の辺縁に沿って設置される一対の短手方向連結枠２２、および、パレット１０の長手方向の辺縁に沿って設置される一対の長手方向連結枠２３を有する。これら４個のコーナー金具２１、一対の（２個の）短手方向連結枠２２および一対の（２個の）長手方向連結枠２３は、溶接により順次連結されて一の下金枠２０に構成されている。
【００２５】
コーナー金具２１は、側枠４０の側枠基部４１が回動可能に連結されるとともに、ロール製品用ラック１が組み立てられたときに側枠基部４１を立設状態に維持する部材である。コーナー金具２１は、図２に示すように、長手方向連結枠２３に平行な第１の面２１１と、短手方向連結枠２２に平行な第２の面２１２とを有する断面Ｌ字状の部材である。
【００２６】
コーナー金具２１の第１の面２１１には、パレット１０の上面に対して直角な方向に延伸する長孔である側板回動ピン通過孔２１３が形成されている。側板回動ピン通過孔２１３は、側枠４０の側枠基部４１の下縁両側に突出した連結回動シャフト４５が挿入される孔である。パレット１０の短手方向に隣接するコーナー金具２１においては、図３に示すように、第１の面２１１が対向して設置されることとなり、側板回動ピン通過孔２１３も対向して配置される。側枠４０の側枠基部４１は、これら対向して配置される側板回動ピン通過孔２１３に下縁両側に突出した連結回動シャフト４５が挿入されることにより、コーナー金具２１に連結される。
【００２７】
側板回動ピン通過孔２１３の幅は、側枠基部４１の連結回動シャフト４５の直径よりも若干広い。したがって、側枠基部４１は、連結回動シャフト４５を回動中心として回動可能であるとともに、側板回動ピン通過孔２１３の長手方向の範囲内で、上下方向に容易に移動可能である。
【００２８】
なお、側枠基部４１は、下縁両側をパレット１０の上面に対して傾斜させることにより、側枠基部４１の両側の連結回動シャフト４５を順次側板回動ピン通過孔２１３から離脱させることができ、側枠基部４１をコーナー金具２１から分離することができる。また、側枠基部４１の下縁両側をパレット１０の上面に対して傾斜させ、一方の連結回動シャフト４５から順に側板回動ピン通過孔２１３に挿入することにより、側枠基部４１の両側の連結回動シャフト４５を側板回動ピン通過孔２１３に挿入した状態、すなわち、側枠基部４１をコーナー金具２１に連結した状態とすることができる。側枠基部４１のコーナー金具２１に対する設置及び分離は、このようにして行う。
【００２９】
図２に示すように、コーナー金具２１の第１の面２１１の上縁には、上方向に開口した溝である側板立設用ピン係合溝２１４が形成されている。側板立設用ピン係合溝２１４は、図３に示すように、ロール製品用ラック１が組み立てられるとき、すなわち側枠４０がパレット１０上に立設されるときに、側枠基部４１の下方分両側の立設用係合ピン４６が係合される溝である。側枠基部４１の立設用係合ピン４６がコーナー金具２１の側板立設用ピン係合溝２１４に係合されることにより、側枠４０（側枠基部４１）パレット１０の上面方向に傾倒不能となり、側枠４０はパレット１０上に立設された状態に維持される。
【００３０】
側枠基部４１の下縁部を上方に移動させたとき、すなわち、連結回動シャフト４５を側板回動ピン通過孔２１３の上部に移動させたときは、立設用係合ピン４６はコーナー金具２１と干渉しないようになっており、側枠基部４１をパレット１０に直角な姿勢とすることができる。コーナー金具２１の側板立設用ピン係合溝２１４は、このような状態、すなわち側枠基部４１を上方に引き上げパレット１０に直角な姿勢とした状態で、側枠基部４１の立設用係合ピン４６の下となる位置に形成されている。したがって、この状態から側枠基部４１を下方に下すことにより、側枠基部４１の立設用係合ピン４６はコーナー金具２１の側板立設用ピン係合溝２１４に嵌入され、立設用係合ピン４６は側板立設用ピン係合溝２１４に係合される。
【００３１】
ロール製品を収容せずロール製品用ラック１を折り畳むときは、上述したように立設された状態の側枠基部４１を上方に引き上げる。そうすると、側枠基部４１の立設用係合ピン４６はコーナー金具２１の側板立設用ピン係合溝２１４から抜け出て、これらの係合状態は解除される。その結果、側枠基部４１は、連結回動シャフト４５を回動中心として回動可能となり、側枠基部４１をパレット１０の上面方向に傾倒させることが可能となる。
【００３２】
なお、側板回動ピン通過孔２１３内を筒状支柱４２の連結回動シャフト４５が上方に移動されるのは、上述したように側枠基部４１の立設用係合ピン４６をコーナー金具２１の側板立設用ピン係合溝２１４に係合させるときおよびこれらの係合状態を解除するとき、上述したように側枠基部４１を下金枠２０に設置するときおよび取り外すとき、および、１対の側枠４０をパレット１０上に重ねて載置する際に上側の側枠４０の連結回動シャフト４５が上方に配置されるときの各場合である。コーナー金具２１の側板回動ピン通過孔２１３は、これらの各場合に対応できる長さに形成される。
【００３３】
図２にしめすように、コーナー金具２１の第１の面２１１の外面中央部には、連結棒受け２１５が設置されている。ロール製品用ラック１を折り畳んだとき、連結棒７０は、図８に示すように、ロール製品用ラック１の長手方向に沿って隣接するコーナー金具２１間に保持され、折り畳まれたロール製品用ラック１と一体化される。コーナー金具２１の第１の面２１１の連結棒受け２１５は、このとき、連結棒７０の係合部７２が挿入される部材である。
【００３４】
下金枠２０の短手方向連結枠２２は、図３に示すように、パレット１０の短手方向の辺縁に沿って設置され、パレット１０の短手方向に隣接するコーナー金具２１を接続する。短手方向連結枠２２は、パレット１０の上面に接合される底部２２１と、パレット１０の周縁に立設状態に配置される縁部２２２とを有する断面Ｌ字状の金属製部材である。
【００３５】
短手方向連結枠２２の底部２２１は、下金枠２０をパレット１０へ設置する際の固定面として用いられる。図１に示すように、パレット１０の上部の樹脂板部分の下側、すなわちパレット１０の内部には、金属製の下金枠取付板１０２が設置されている。短手方向連結枠２２の底部２２１は、間にパレット１０の上部樹脂板部分を介在させた状態で、すなわち上部樹脂板部分を挟み込む状態で、パレット１０の内部の下金枠取付板１０２とボルトナットにより固定される。その結果、下金枠２０はパレット１０の上面に固定設置される。
【００３６】
下金枠２０の長手方向連結枠２３は、図１に示すように、パレット１０の長手方向の辺縁に沿って設置され、パレット１０の長手方向に隣接するコーナー金具２１を接続する。長手方向連結枠２３は、図３に示すように、パレット１０の上面に接合される底部２３１と、パレット１０の周縁に立設状態に配置される縁部２３２とを有する断面Ｌ字状の金属製部材である。
【００３７】
パレット１０の上面には、図１および図３に示すように、製品固定部設置板２４が設置されている。製品固定部設置板２４は、パレット１０の長手方向に延伸する帯状の金属製部材である。製品固定部設置板２４は、両側が下金枠２０の短手方向連結枠２２の底部２２１に溶接により接続されて下金枠２０と一体化されており、下金枠２０と一体的にパレット１０上に設置される。製品固定部設置板２４は、パレット１０の短手方向においてパレット１０の略中央部に設置される。
【００３８】
製品固定部設置板２４の上には、図１に示すように、製品固定部２４１が設置されている。製品固定部２４１は、パレット１０上に載置されるロール製品のパレット１０上の位置を固定するために、ロール製品の下側端面の支管の開口に嵌挿される部材である。製品固定部２４１は、ロール製品の支管に挿入可能なように、ロール製品の支管の内径より若干小さい外径を有する円筒状の部材である。また、その高さは、輸送時の振動や衝撃等によりロール製品の支管が容易に抜けない程度の高さである。
【００３９】
製品固定部２４１は、ロール製品用ラック１が収容可能なロール製品の数だけ設置される。本実施形態のロール製品用ラック１は、２個のロール製品を収容するので、図示のごとく製品固定部２４１は２個設置されている。また、２個の製品固定部２４１は、製品固定部２４１を介してパレット１０上に設置された２個のロール製品が、相互に干渉せず、また、ロール製品用ラック１の側枠４０等の構造とも干渉しないように収容される位置に形成される。
【００４０】
底板３０は、図１に示すように、パレット１０上に設置され、ロール製品が載置されるシート状部材である。底板３０は、収容したロール製品に対する振動や衝撃を緩和する緩衝材としての役目を有し、本実施形態においては発泡性のＰＰ（ポリプロピレン）シートである。
【００４１】
底板３０は、パレット１０上において、下金枠２０のコーナー金具２１、短手方向連結枠２２の縁部２２２および長手方向連結枠２３の縁部２３２（図３参照）により規定される領域に設置される。底板３０において、製品固定部設置板２４の製品固定部２４１に対応する位置には、製品固定部２４１を通過させ底板３０の上面に突出させるための製品固定部用開口３４１が形成されている。
【００４２】
側枠４０は、ロール製品用ラック１にロール製品を収容するときにパレット１０の長手方向の両側に対向して立設され、パレット１０上にロール製品の収容空間を規定する部材である。側枠４０の各々は、下辺部を回動中心として回動可能に、パレット１０の短手方向の辺縁に沿ってパレット１０上に設置されている。また、側枠４０の各々は、ロール製品用ラック１にロール製品が収容されないときは、パレット１０の上面に傾倒され、折り畳まれた状態とされる。
【００４３】
側枠４０の各々は、図３に示すように、パレット１０に回動可能に設置される側枠基部４１と、側枠基部４１にスライド移動可能に設置される側枠可動部５１と、側枠可動部５１のスライド移動を規制して側枠４０の高さを所望の高さに維持する高さ調整部材６１を有する。なお、図３においては底板３０の図示を省略する。
【００４４】
側枠基部４１は、図４に示すように、水平方向両側に平行に配置される断面矩形の一対の筒状支柱４２と、一対の筒状支柱４２を上下において各々連結する２本の水平補強材４４を有する。また、側枠可動部５１は、図５に示すように、水平方向両側に配置される一対の差込支柱５２と、一対の差込支柱５２を上部において連結する２本の水平補強材５４とを有する。
【００４５】
側枠基部４１の一対の筒状支柱４２と、側枠可動部５１の一対の差込支柱５２との各中心間距離は同じである。また、側枠可動部５１の差込支柱５２は、側枠基部４１の筒状支柱４２よりも断面形状が小さく、筒状支柱４２の内側に挿入可能な断面外形形状を有する。したがって、側枠可動部５１の差込支柱５２の各々は、側枠基部４１の筒状支柱４２に上部開口４２０から筒状支柱４２内に差し込む（挿入する）ことが可能であり、この状態において各差込支柱５２は、筒状支柱４２の内部を長手方向にスライド移動可能になる。その結果、側枠可動部５１は、図３に示すように、全体が側枠基部４１に対してスライド移動可能な状態に設置された状態となる。側枠可動部５１は、水平補強材５４が側枠基部４１の筒状支柱４２に当たる位置まで、側枠基部４１の奥方向にスライド移動（差し込み）可能である。
【００４６】
図３および図４に示すように、側枠基部４１の筒状支柱４２には、側面に、長手方向に沿って複数のスリット４３０が形成されている。スリット４３０は、筒状支柱４２の一の側面およびその一の側面に対向する他の側面の対応する位置に対向するように対をなして形成されている。
【００４７】
本実施形態においては、図４に示すように、側枠基部４１がパレット１０上に立設された状態においてパレット１０の長手方向に対向して配置されることとなる一の側面および他の側面に、第１のスリット群４３１が形成されている。また、側枠基部４１がパレット１０上に立設された状態においてパレット１０の短手方向に対向して配置されることとなる一の側面および他の側面に（第１のスリット群４３１が形成された対向面とは直角な対向面に）、第２のスリット群４３２が形成されている。なお、一対の側枠４０を構成する一対の側枠基部４１の各筒状支柱４２、すなわちロール製品用ラック１の４本の筒状支柱４２においては、形成される各スリットの位置は同一である。
【００４８】
高さ調整部材６１は、図３に示すように、側枠基部４１の筒状支柱４２に装着され、側枠可動部５１の差込支柱５２の、側枠基部４１の筒状支柱４２内でのスライド移動を規制する部材である。高さ調整部材６１は、図６（Ａ）に示すように、差込支柱受け部６２と屈曲部６３を有する断面Ｌ字状の金属製部材である。差込支柱受け部６２は、側枠基部４１の筒状支柱４２に形成されているスリット４３０に差し込まれ、側枠可動部５１の差込支柱５２と係合する部分である。また、屈曲部６３は、高さ調整部材６１がスリット４３０に差し込まれた際に高さ調整部材６１を所定の差し込み位置に配置するための掛止部であるとともに、高さ調整部材６１を着脱する際に作業者が把持する爪に相当する部分である。
【００４９】
高さ調整部材６１の差込支柱受け部６２の中央部には、ピン挿入孔６２１が形成されている。ピン挿入孔６２１は、屈曲部６３が筒状支柱４２の外面に当接する位置まで高さ調整部材６１がスリット４３０に差し込まれた際に、筒状支柱４２の内部断面のほぼ中央となる位置に配置されるよう高さ調整部材６１の差込支柱受け部６２に形成されている。
【００５０】
スリット４３０のいずれかに高さ調整部材６１が挿入されると、図６（Ｂ）に示すように、高さ調整部材６１は筒状支柱４２の内部を通過することとなる。したがって、側枠基部４１の筒状支柱４２の内部における側枠可動部５１の差込支柱５２のスライド移動は、差込支柱５２の下端５２１が高さ調整部材６１の差込支柱受け部６２に当接した位置で制限されることとなる。すなわち、側枠可動部５１の差込支柱５２は、高さ調整部材６１により下端５２１が支持された状態となる。その結果、側枠可動部５１の側枠基部４１に対するスライド移動は規制され、側枠４０は、全体として所望の高さに維持されることとなる。
【００５１】
また、図５に示すように、側枠可動部５１の差込支柱５２の下端５２１には、差込支柱５２の長手方向と同方向に所定長さの高さ調整部材抜け防止ピン５３が設置されている。上述したように側枠可動部５１の差込支柱５２の下端５２１がスリット４３０に挿入された高さ調整部材６１に当接する際には、図６（Ｂ）に示すように、高さ調整部材抜け防止ピン５３が高さ調整部材６１のピン挿入孔６２１に挿入されることとなる。その結果、高さ調整部材６１は、側枠基部４１の筒状支柱４２のスリット４３０から抜け出ることが防止され、スリット４３０に挿入された状態に維持されることとなる。
【００５２】
このような構成の側枠４０においては、高さ調整部材６１を挿入するスリット４３０の位置を変更することで、側枠４０の高さを調整することができる。すなわち、図７（Ａ）に示すように、高さ調整部材６１を、側枠基部４１の各筒状支柱４２の高い位置のスリット４３０に装着することで、側枠可動部５１の下部は側枠基部４１の高い位置で支持されることとなり、側枠４０の高さは高くなる。また、図７（Ｂ）に示すように、高さ調整部材６１を、側枠基部４１の各筒状支柱４２の低い位置のスリット４３０に装着することで、側枠可動部５１の下部は側枠基部４１の低い位置で支持されることとなり、側枠４０の高さは低くなる。
【００５３】
したがって、ロール製品用ラック１においては、パレット１０上に縦置きに載置されるロール製品９０の長さが長い場合、すなわち、収容するロール製品９０の高さが高い場合には、図７（Ａ）に示すように、側枠４０の高さを高く調整することができる。また、ロール製品の長さが短い場合、すなわち、収容するロール製品の高さが低い場合には、図７（Ｂ）に示すように、側枠４０の高さを低く調整することができる。
【００５４】
図４に示すように、本実施形態において、第１のスリット群４３１の一連の複数のスリット４３０と、第２のスリット群４３２の一連の複数のスリット４３０とは、各々、筒状支柱４２の長手方向において異なる位置に形成されている。高さ調整部材６１は、第１のスリット群４３１と第２のスリット群４３２のいずれかのスリット４３０に装着される。このような構成とすることで、高さ調整部材６１を装着可能なスリット４３０をより細かい間隔で側枠基部４１の筒状支柱４２に設置することができ、側枠４０の高さを、より細かく調整して適切な高さとすることができる。
【００５５】
各側枠４０の各側枠基部４１の下部には、連結回動シャフト４５が設置されている。連結回動シャフト４５は、各筒状支柱４２の下縁のパレット１０の中央側となる側に設置されており、その外側の端部は側枠基部４１の外側端面よりも外方向に突出している。連結回動シャフト４５は、図３を参照して前述したように、下金枠２０のコーナー金具２１に形成された側板回動ピン通過孔２１３に挿入される。側枠４０の両側下部の連結回動シャフト４５が、下金枠２０の側板回動ピン通過孔２１３に各々挿入されることにより、側枠４０は、連結回動シャフト４５を回動中心として回動可能、かつ、側板回動ピン通過孔２１３に沿って上下方向に移動可能に、下金枠２０に係合保持される。
【００５６】
また、側枠４０の側枠基部４１の筒状支柱４２の外側端面であって、第２のスリット群４３２の下側の位置には、外側に突出する立設用係合ピン４６が設置されている。立設用係合ピン４６は、前述したように、側枠４０がパレット１０上に立設される場合に、下金枠２０のコーナー金具２１の側板立設用ピン係合溝２１４に係合されピンである。立設用係合ピン４６が側板立設用ピン係合溝２１４に係合することにより、側枠４０のパレット１０上面方向への傾倒が不能となり、側枠４０の立設状態が維持される。
【００５７】
また、図５に示すように、各側枠４０の側枠可動部５１の各差込支柱５２の外側端面上部には、連結棒受け５５が設置されている。一対の側枠４０がパレット１０上に対向して立設されたとき、対向する側枠４０の対向する上隅部間は、図１に示すように連結棒７０により連結される。連結棒受け５５には、このとき連結棒７０の両端部の屈曲部である係合部７２が挿入され、連結棒７０の端部と側枠４０の上隅部とが連結される。
【００５８】
連結棒７０は、上述したように、対向して立設された側枠４０の対向する上隅部間を連結するロッドである。連結棒７０は、金属製の棒状部材であって、長手方向に延伸する連結部７１と、連結部７１の両側に形成された係合部７２とを有する。係合部７２は、棒状部材の端部を連結部７１に対してほぼ直角に折り曲げて形成した部分であり、ロール製品用ラック１が組み立てられているとき、側枠４０の側枠可動部５１の両側上部外面に設置された連結棒受け５５に挿入される。これにより、連結棒７０は、対向して立設された側枠４０の対向する上隅部間を連結する。
【００５９】
ロール製品用ラック１が折り畳まれるときは、連結棒７０は、両側の係合部７２が下金枠２０の第１の面２１１に設置された連結棒受け２１５に挿入され、パレット１０の長手方向に沿って下金枠２０の外側に装着される。これにより、連結棒７０は、折り畳まれたロール製品用ラック１と一体に保管され、また回送等される。
【００６０】
天板８０は、パレット１０上に載置し収容されたロール製品の上部に載置され、収容したロール製品に対する振動や衝撃を緩和するシート状の緩衝材である。天板８０の下面（ロール製品側の面）には、硬質な材料で形成された製品固定部８４１が形成されている。製品固定部８４１は、パレット１０に載置されるロール製品９０（図７参照）の上端面の支管端部開口９１に嵌挿される部材であり、ロール製品の支管の内径より若干小さい外径を有する円筒状の部材である。
【００６１】
製品固定部８４１は、前述した下金枠２０に連結されてパレット１０上に設置された製品固定部設置板２４の製品固定部２４１と対向する位置に配置される。製品固定部８４１の高さは、輸送時の振動や衝撃等によりロール製品の支管が容易に抜けない程度の高さである。パレット１０に収容したロール製品の上部にこのような天板８０を設置することにより、ロール製品に対する振動や衝撃が低減されるとともに、パレット１０に収容したロール製品の上部が、振動等により水平方向に揺れて相互に接触等することを防ぐことができる。
【００６２】
このような構成のロール製品用ラック１にロール製品を収容するときは、まず、例えば図８に示すように折りたたまれているロール製品用ラック１から、側枠４０を引き起こし、パレット１０上に立設する。このときは、側枠４０を引き起こしながら、側枠４０の立設用係合ピン４６がコーナー金具２１と干渉しない状態まで側枠４０を持ち上げる。そして、側枠４０がパレット１０に垂直な姿勢となったら、側枠４０を下方に下ろし、立設用係合ピン４６をコーナー金具２１の側板立設用ピン係合溝２１４に係合させる。その結果、側枠４０は傾倒不能となり、立設状態に維持される。
【００６３】
一対の側枠４０をパレット１０上に立設したら、パレット１０の上方に収容対象のロール製品９０（図７（Ａ）および図７（Ｂ）参照）を載置する。ロール製品９０の支管端部開口９１に、パレット１０上において底板３０からさらに突出している製品固定部２４１が挿入されるようにロール製品９０をパレット１０上に載置することにより、ロール製品９０の下部の位置が固定される。本実施形態のロール製品用ラック１は２本のロール製品を収容可能なので、２本のロール製品９０をパレット１０上に載置する。
【００６４】
パレット１０上にロール製品を載置したら、収容したロール製品の高さに応じて側枠４０の高さを調整する。側枠４０の高さの調整をするときは、まず、側枠可動部５１を側枠基部４１に対して上方にスライド移動させることにより持ち上げる。側枠可動部５１の下端５２１の高さ調整部材抜け防止ピン５３の先端が高さ調整部材６１のピン挿入孔６２１から抜き出る位置まで側枠可動部５１を持ち上げたら、高さ調整部材６１を側枠基部４１から抜き取る。１の側枠４０の２本の筒状支柱４２（差込支柱５２）について、各々このような調整部材６１の抜き取りを行う。
【００６５】
高さ調整部材６１を抜き取ったら、側枠４０の高さが収容したロール製品の高さに応じた適切な高さとなるような新たな位置のスリット４３０に、高さ調整部材６１を装着する。そのために、側枠可動部５１の下端５２１の高さ調整部材抜け防止ピン５３の先端が、新たな位置のスリット４３０に挿入される高さ調整部材６１と干渉しない位置となるまで側枠可動部５１を持ち上げ、そのような状態で高さ調整部材６１をスリット４３０に挿入する。
【００６６】
高さ調整部材６１をスリット４３０に挿入したら、側枠可動部５１の下端５２１が高さ調整部材６１に当接するまで側枠可動部５１を下方にスライド移動させる。側枠可動部５１を下方にスライド移動させると、枠可動部５１の下端５２１の高さ調整部材抜け防止ピン５３が高さ調整部材６１の差込支柱受け部６２のピン挿入孔６２１に挿入された後、側枠可動部５１の下端５２１が高さ調整部材６１の差込支柱受け部６２に当接する。側枠可動部５１の下端５２１が高さ調整部材６１の差込支柱受け部６２に当接すると、側枠可動部５１の下方へのスライド移動は不可能となり、側枠可動部５１は高さ調整部材６１により支持された状態となり、側枠４０の全体の高さは所定の高さに調整されたこととなる。
【００６７】
一対の側枠４０の両方の高さを調整したら、収容したロール製品の上部に天板８０を載置する。天板８０は、製品固定部８４１がロール製品の上端面の支管端部開口９１に挿入されるように、ロール製品の上部に載置する。これにより、パレット１０上に収容した２本のロール製品の間隔は保持され、ロール製品用ラック１の輸送時の振動等により、ロール製品の上部が接触する等の状態を防ぐことができる。
【００６８】
天板８０を載置したら、連結棒７０により、対向する側枠４０の対向する上隅部を連結する。連結棒７０は、対向する側枠４０の側枠可動部５１の両側上端外面に設置されている連結棒受け５５に、連結棒７０の両側の係合部７２を挿入することにより対向する側枠４０間に設置される。
このようにロール製品を収容したロール製品用ラック１は、輸送等に供される。
【００６９】
輸送等されたロール製品用ラック１からロール製品を取り出す際には、まず、連結棒７０をロール製品用ラック１から取り外し、天板８０をロール製品の上部から取り外し、その後ロール製品をパレット１０上から取り出す。なお、取り外した連結棒７０は、コーナー金具２１に設置されている連結棒受け２１５に係合部７２を挿入することにより、下金枠２０に沿って装着しておく。
【００７０】
ロール製品をパレット上から取り出したら、ロール製品用ラック１を折り畳む。ロール製品用ラック１を折り畳む場合には、必要に応じて、側枠４０の高さを調整する。ロール製品用ラック１を折り畳む際の側枠４０の高さが、例えば最も低い高さあるいは最も高い高さ等に決定されている場合には、側枠４０の高さをその高さに調整する。例えば、パレット１０や下金枠２０に、折り畳んだ状態で側枠可動部５１が抜き出ないような機構が設置されており、その機構が側枠４０が所定の高さのときに機能するよう構成されている場合には、側枠４０の高さをその高さに調整する。一方、折り畳む際の側枠４０の高さが規定されていない場合等、側枠４０の高さ調整が必要ない場合には、側枠４０の高さを調整しなくともよい。
【００７１】
側枠４０の高さが折り畳み時の高さに調整されたら、あるいは、そのような高さ調整の必要がない場合には、側枠４０をパレット１０上に折り畳む。側枠４０を上方に持ち上げ、側枠４０の立設用係合ピン４６とコーナー金具２１の側板立設用ピン係合溝２１４との係合を解除した後、側枠４０をパレット１０の上面方向に傾倒させ、パレット１０上に横倒し状態で載置する。一対の側枠４０をこのようにパレット１０に傾倒させることにより、図８に示すように、ロール製品用ラック１は折り畳まれた状態となる。なお、天板８０は、図８に示すように折り畳まれたロール製品用ラック１の上部に載置しておくのが好ましい。
【００７２】
このように、本発明に係るロール製品用ラック１においては、収容するロール製品の長さに応じて、換言すればパレット１０上に載置したロール製品の高さに応じて、パレット１０の高さを調整することができる。例えば、長いロール製品を収容する場合には、図７（Ａ）に示すように、側枠４０の高さは高く調整され、ロール製品用ラック１の全体のサイズ（容積）も大きく調整される。一方で、短いロール製品を収容する場合には、図７（Ｂ）に示すように、側枠４０の高さは低く調整され、ロール製品用ラック１の全体のサイズ（容積）も小さく調整される。したがって、ロール製品用ラック１においては、収容対象のロール製品の長さに応じてロール製品用ラック１の外形のサイズそのものを変更することができる。したがって、どのような長さのロール製品を収容した場合でも、ロール製品用ラック１内に無駄な空間が形成することはなく、種々のロール製品を効率よく収容し輸送等することができる。
【００７３】
また、そのロール製品用ラック１のサイズの変更、換言すれば側枠４０の高さの調整は、高さ調整部材６１の着脱、および、これに合わせた側枠可動部５１のスライド移動という非常に簡単な方法である。したがって、本発明に係るロール製品用ラック１は、取り扱いが容易で利便性の高いロール製品用ラックである。
【００７４】
また、高さ調整部材６１は側枠可動部５１の下端５２１の高さ調整部材抜け防止ピン５３により係合されており抜け落ちることがない。したがって、ロール製品用ラック１は、側枠４０の高さ調整された状態を適切に維持することができる安全性の高いロール製品用ラック１である。すなわち、ロール製品用ラック１によれば、ロール製品を安全に収容し輸送等することができる。
【００７５】
また、ロール製品用ラック１は、１つのロール製品用ラック１で、種々の長さのロール製品について効率のよい収容や輸送を行うことができる。すなわち、ロール製品用ラック１は、極めて利便性の高いロール製品用ラック１である。したがって、ロール製品用ラック１によれば、ロール製品の輸送コスト等の大幅な低減が達成できる。
【００７６】
なお、本発明は本実施形態に限られるものではなく、任意好適な種々の改変が可能である。
たとえば、前述した実施形態のロール製品用ラック１は、長さ（高さ）が同一のロール製品を２本収容するものであったが、２本のロール製品は高さが異なるロール製品であってもよい。そのような場合には、天板８０は、各ロール製品の上端面に載置されるように、２枚に分割された構成とすることが好ましい。また、側枠４０は、長い方のロール製品に対応する高さに調整をすればよい。
【００７７】
また、ロール製品用ラック１に収容するロール製品の数も何ら限定されるものではなく、３本以上であってもよいし、１本であってもよい。
【００７８】
また、本実施形態においては、ロール製品を収容するロール製品用ラック１について説明したが、本発明の趣旨は、収容する物品のサイズに応じてラックの高さを調整できることにある。従って、収容する物品はロール製品に限られるものではない。本発明は、任意の物品を収容する任意の折り畳み式ラックに適用可能である。
【００７９】
また、前述した実施形態のロール製品用ラック１において、製品固定部２４１および製品固定部８４１は、ロール製品の支管の形状に応じた円筒状部材としたが、支管内に挿入されてロール製品の位置が規定できるものであれば任意の突出部でよい。
【００８０】
その他、側枠基部４１の筒状支柱４２に形成されたスリット（開口）４３０の形状、スリット４３０に挿入される高さ調整部材６１の形状、高さ調整部材６１の差込支柱受け部（差込支柱係止部）６２と側枠可動部５１の差込支柱５２との係合形態、製品固定部２４１あるいは製品固定部８４１の形態、底板３０や天板８０の形状や材料、ロール製品用ラック１を使用する際の手順（側枠４０の高さ調整、天板８０の装着、および、連結棒７０による側枠４０の連結の順序等）、パレットの形態（樹脂パレットか金属パレットか等）等も任意に変更してよい。
【符号の説明】
【００８１】
１…ロール製品用ラック（折り畳み式ラック）
１０…パレット
１０１…リフト用開口
１０２…下金枠取付板
２０…下金枠
２１…コーナー金具
２１１…第１の面、２１２…第２の面
２１３…側板回動ピン通過孔
２１４…側板立設用ピン係合溝
２１５…連結棒受け
２２…短手方向連結枠
２２１…底部、２２２…縁部
２３…長手方向連結枠
２４…製品固定部設置板
２４１…製品固定部
３０…底板
３４１…製品固定部用開口
４０…側枠
４１…側枠基部
４２…筒状支柱
４２０…上部開口
４３０…スリット（開口）
４３１…第１のスリット群（第１の開口群）
４３２…第２のスリット部（第２の開口群）
４４…水平補強材
４５…連結回動シャフト
４６…立設用係合ピン
５１…側枠可動部
５２…差込支柱
５２１…下端
５３…高さ調整部材抜け防止ピン
５４…水平補強材
５５…連結棒受け
６１…高さ調整部材
６２…差込支柱受け部（差込支柱係止部）
６２１…ピン挿入孔
６３…屈曲部
７０…連結棒
７１…連結部
７２…係合部
８０…天板
８４１…製品固定部
９０…ロール製品
９１…支管端部開口
【図１】
2018002199.tif 000003
【図２】
2018002199.tif 000004
【図３】
2018002199.tif 000005
【図４】
2018002199.tif 000006
【図５】
2018002199.tif 000007
【図６】
2018002199.tif 000008
【図７】
2018002199.tif 000009
【図８】
2018002199.tif 000010